【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
放送番組を記録媒体に記録する放送データ記録手段と、
ユーザの操作に応答して記録対象の番組を予約指定する手動番組予約手段と、
ユーザの設定する条件を反映して記録対象の番組を自動的に予約指定する自動番組予約手段と、
前記記録媒体に記録されている放送データのうち、前記自動番組予約手段による予約指定で記録された番組の放送データを、前記手動番組予約手段による予約指定で記録された番組の放送データに優先して削除する放送データ削除手段と、
を備えることを特徴とする記録装置。
【請求項２】
前記自動番組予約手段による予約指定は、ユーザによって設定されたキーワードを設定条件として電子番組表から検索した番組を記録対象として予約指定することを特徴とすることを特徴とする請求項１に記載の記録装置。
【請求項３】
前記記録媒体の空き容量を特定する記録空き容量特定手段と、
前記記録対象の番組の放送データを前記記録媒体に記録するのに必要な容量が前記記録空き容量特定手段により特定された空き容量より大きいか否かを判別する記録容量判別手段と、
を更に備え、
前記放送データ削除手段は、前記記録容量判別手段により前記放送データの記録に必要な容量が前記空き容量よりも大きいと判別された場合に、放送データの削除を行うことを特徴とする請求項１または２に記載の記録装置。
【請求項４】
前記放送データ記録手段は、複数の記録品質で放送データを前記記録媒体に記録可能であり、
前記放送データ削除手段は、前記記録媒体に記録されている各放送データの記録品質を判別し、該記録品質のより低い放送データを優先して削除することを特徴とする請求項１乃至３のいずれかに記載の記録装置。
【請求項５】
前記複数の記録品質は、記録対象の番組の予約が前記手動番組予約手段か前記自動番組予約手段かに応じた所定の記録ビットレートであることを特徴とする請求項４に記載の記録装置。
【請求項６】
前記自動予約手段で予約された記録対象の番組に対する記録品質よりも、前記手動番組予約手段で予約された記録対象の番組に対する記録品質が高いことを特徴とする請求項５に記載の記録装置。
【請求項７】
放送番組を記録媒体に記録する放送データ記録ステップと、
ユーザの操作に応答して記録対象の番組を予約指定する手動番組予約ステップと、
ユーザの設定する条件を反映して記録対象の番組を自動的に予約指定する自動番組予約ステップと、
記録されている放送データのうち、前記自動番組予約手段による予約指定で記録された番組の放送データを、前記手動番組予約手段による予約指定で記録された番組の放送データに優先して削除する放送データ削除ステップと、
を備えることを特徴とする記録方法。
【請求項８】
コンピュータに、
放送番組を記録媒体に記録する放送データ記録手順と、
ユーザの操作に応答して記録対象の番組を予約指定する手動番組予約手順と、
ユーザの設定する条件を反映して記録対象の番組を自動的に予約指定する自動番組予約手順と、
記録されている放送データのうち、前記自動番組予約手段による予約指定で記録された番組の放送データを、前記手動番組予約手段による予約指定で記録された番組の放送データに優先して削除する放送データ削除手順と、
を実行させるためのプログラム。
【手続補正２】
【補正対象書類名】明細書
【補正対象項目名】発明の名称
【補正方法】変更
【補正の内容】
【発明の名称】記録装置、記録方法、及びプログラム
【手続補正３】
【補正対象書類名】明細書
【補正対象項目名】０００１
【補正方法】変更
【補正の内容】
【０００１】
本発明は、記録装置、記録方法、及びプログラムに関し、特に簡単な操作で必要容量を確保でき、また、記録媒体の容量を効率よく使用することができる記録装置、記録方法、及びプログラムに関する。
【手続補正４】
【補正対象書類名】明細書
【補正対象項目名】０００６
【補正方法】変更
【補正の内容】
【０００６】
つまり、上記技術は、ユーザの不要な番組を自動で削除することを目的としているが、ユーザの設定や設定変更等、依然として煩わしい操作が必要とされる。また、記録したい放送の容量に丁度よいサイズの空き容量が確保されるわけではなく、削除量が大き過ぎたり、小さ過ぎたりすることが多い。
【手続補正５】
【補正対象書類名】明細書
【補正対象項目名】０００７
【補正方法】変更
【補正の内容】
【０００７】
本発明は、上記実状に鑑みてなされたものであり、記録された放送データを適切に削除することが可能とすることができ、記録媒体の容量を効率よく使用することができる記録装置、記録方法、及びプログラムを提供することを目的とする。
【手続補正６】
【補正対象書類名】明細書
【補正対象項目名】０００８
【補正方法】変更
【補正の内容】
【０００８】
上記目的を達成するために、本発明の第１の観点に係る記録装置は、放送番組を記録媒体に記録する放送データ記録手段と、ユーザの操作に応答して記録対象の番組を予約指定する手動番組予約手段と、ユーザの設定する条件を反映して記録対象の番組を自動的に予約指定する自動番組予約手段と、前記記録媒体に記録されている放送データのうち、前記自動番組予約手段による予約指定で記録された番組の放送データを、前記手動番組予約手段による予約指定で記録された番組の放送データに優先して削除する放送データ削除手段と、を備える、ことを特徴とする。
【手続補正７】
【補正対象書類名】明細書
【補正対象項目名】０００９
【補正方法】変更
【補正の内容】
【０００９】
また、上記記録装置において、前記自動番組予約手段による予約指定は、ユーザによって設定されたキーワードを設定条件として電子番組表から検索した番組を記録対象として予約指定する、ようにしもてよい。
【手続補正８】
【補正対象書類名】明細書
【補正対象項目名】００１０
【補正方法】変更
【補正の内容】
【００１０】
さらに、上記記録装置において、前記記録媒体の空き容量を特定する記録空き容量特定手段と、前記記録対象の番組の放送データを前記記録媒体に記録するのに必要な容量が前記記録空き容量特定手段により特定された空き容量より大きいか否かを判別する記録容量判別手段と、を更に備え、前記放送データ削除手段は、前記記録容量判別手段により前記放送データの記録に必要な容量が前記空き容量よりも大きいと判別された場合に、放送データの削除を行う、ようにしてもよい。
【手続補正９】
【補正対象書類名】明細書
【補正対象項目名】００１１
【補正方法】変更
【補正の内容】
【００１１】
また、上記記録装置において、前記放送データ記録手段は、複数の記録品質で放送データを前記記録媒体に記録可能であり、前記放送データ削除手段は、前記記録媒体に記録されている各放送データの記録品質を判別し、該記録品質のより低い放送データを優先して削除する、ようにしてもよい。
【手続補正１０】
【補正対象書類名】明細書
【補正対象項目名】００１２
【補正方法】変更
【補正の内容】
【００１２】
さらに、上記記録装置において、前記複数の記録品質は、記録対象の番組の予約が前記手動番組予約手段か前記自動番組予約手段かに応じた所定の記録ビットレートである、ようにしてもよい。
【手続補正１１】
【補正対象書類名】明細書
【補正対象項目名】００１３
【補正方法】変更
【補正の内容】
【００１３】
また、上記記録装置において、前記自動予約手段で予約された記録対象の番組に対する記録品質よりも、前記手動番組予約手段で予約された記録対象の番組に対する記録品質が高い、するようにしてもよい。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
さらに、本発明の第２の観点に係る記録方法は、放送番組を記録媒体に記録する放送データ記録ステップと、ユーザの操作に応答して記録対象の番組を予約指定する手動番組予約ステップと、ユーザの設定する条件を反映して記録対象の番組を自動的に予約指定する自動番組予約ステップと、記録されている放送データのうち、前記自動番組予約手段による予約指定で記録された番組の放送データを、前記手動番組予約手段による予約指定で記録された番組の放送データに優先して削除する放送データ削除ステップと、を備えることを特徴とする。
【手続補正１６】
【補正対象書類名】明細書
【補正対象項目名】００１８
【補正方法】変更
【補正の内容】
【００１８】
さらに、本発明の第３の観点に係るプログラムは、コンピュータに、放送番組を記録媒体に記録する放送データ記録手順と、ユーザの操作に応答して記録対象の番組を予約指定する手動番組予約手順と、ユーザの設定する条件を反映して記録対象の番組を自動的に予約指定する自動番組予約手順と、記録されている放送データのうち、前記自動番組予約手段による予約指定で記録された番組の放送データを、前記手動番組予約手段による予約指定で記録された番組の放送データに優先して削除する放送データ削除手順と、を実行させることを特徴とする。
【手続補正１７】
【補正対象書類名】明細書
【補正対象項目名】００１９
【補正方法】変更
【補正の内容】
【００１９】
本発明によれば、優先順位に従って記録済み放送データを自動的に削除し、記録媒体の容量を効率よく使用することができる。
【手続補正１８】
【補正対象書類名】明細書
【補正対象項目名】００８９
【補正方法】変更
【補正の内容】
【００８９】
上記実施形態においては、録画の指示がＥＰＧを用いた検索処理に基づき且つ録画モードがＬＰモードである（ステップＳ３０７；Ｙｅｓ：ステップＳ３０８；Ｙｅｓ）放送プログラムを優先的に削除（ステップＳ３０９）した。しかしこれに限定されず、削除の優先度は任意に設定可能である。例えば、ステップＳ３０８を削除して、録画の指示がＥＰＧを用いた検索処理に基づくものを優先的に削除し、１つのプログラムを削除しても、空き容量が足りない場合には、記録が古い順に複数の番組を削除するようにしてもよい。
また、ステップＳ３０７の処理を削除して、録画の原因に関わらず録画モードがＬＰモードである放送プログラムを優先的に削除（ステップＳ３０９）し、１つの番組プログラムを削除しても空き容量が足りない場合には、記録が古い順に複数の番組を削除するようにしてもよい。
さらに、番組時間より長い録画時間を有する記録済番組プログラムを発見できない場合には（ステップＳ３１２；Ｎｏ）、キーワード録画で且つＬＰモードで録画された録画番組を録画が古い順に削除して、記録可能時間が番組時間を超えた時点で削除対象の抽出を停止するようにしてもよい。
また、キーワード録画や録画モードとは別に、再生頻度や番組のジャンルなどに基づいて削除対象を抽出してもよい。
上記実施形態において、録画モードとして、ＬＰモード、標準モード、高精細モードを例示したが、他の録画モードを用いてもよい。また、上記３つの録画モードのうち、２つのみを使用してもよい。
上記実施の形態においては、放送番組（放送プログラム）を受信して記録する場合を例に説明した。ここでの放送の形態は、任意であり、アナログ放送でも、ディジタル放送でもよく、また、映像だけの放送でも、映像と音声との放送でも、音声だけの放送でも、文字放送等でもよい、さらに、無線放送でも、ＣＡＴＶ等の有線放送でもよく、インターネット放送でもよい。